(57)【要約】【課題】外観上目立ちにくい構成で効果的な刺激を与えることができるピアス用キャッチを提供する。【解決手段】  ピアス用キャッチ１は、ピアスピンが挿入される挿入孔１３と、使用者の耳たぶの裏面に当接する当接部１１ａと、を備えている。当接部１１ａにおける前記耳たぶの裏面との当接領域の少なくとも一部には、前記裏面に当接された場合に前記耳たぶ内に微弱電流を発生させる金属薄膜１２が形成されている。【選択図】図１
2019141369.tif 000002
【特許請求の範囲】
【請求項１】
ピアスピンが挿入される挿入孔と、
使用者の耳たぶの裏面に当接する当接部と、
を備え、
前記当接部における前記耳たぶの裏面との当接領域の少なくとも一部には、前記裏面に当接された場合に前記耳たぶ内に微弱電流を発生させる金属薄膜が形成されている、
ピアス用キャッチ。
【請求項２】
前記金属薄膜は、前記耳たぶに存在する複数のツボ位置に当接可能な大きさを有している、
請求項１に記載のピアス用キャッチ。
【請求項３】
前記金属薄膜は、前記当接領域の一部にのみ形成されており、
前記当接部は、前記挿入孔を中心に回動されることにより、前記裏面と前記金属薄膜との当接領域の位置を調節可能に構成されている、
請求項１又は２に記載のピアス用キャッチ。
【請求項４】
前記金属薄膜が形成されている位置を示す位置指示部をさらに備える、
請求項３に記載のピアス用キャッチ。
【請求項５】
前記金属薄膜は、白金、金、銀、銅、ニッケル、クロム、ジルコニウム及びチタンからなる群から選択される少なくとも１つの材料からなる単層膜又は多層膜である、
請求項１乃至４の何れかに記載のピアス用キャッチ。
【発明の詳細な説明】
【技術分野】
【０００１】
本発明は、使用者の健康を増進することができるピアス用キャッチに関する。
【背景技術】
【０００２】
耳ツボを刺激することによって使用者の健康を増進することが可能なことが知られており、そのような刺激を与えるための健康増進具が従来提案されている。例えば、特許文献１には、耳介への装着の際には懸吊され、耳たぶを挟み、耳たぶ裏面に当接するクリオール形のイヤリングであって、片側は耳介への懸吊のためにピボット形に構成され、装着の際に皮膚に当接する装身具面の少なくとも一部が、電気的に相互に絶縁された少なくとも２つの接点を有する接触面として構成され、その接点がイヤリングに設けられた電流源と接続されたイヤリングが開示されている。このイヤリングの場合、電気はりによる治療と同様にして耳ツボに刺激を与えることができる。
【０００３】
また、特許文献２には、皮膚と接触することで微弱電流を発生させ、かつ同一金属からなる複数枚の金属膜が積層された金属膜積層体と、その金属膜積層体が粘着面の中央部に貼着された粘着シートとを備えた貼付治療具が開示されている。この貼付治療具を、耳の前面において耳ツボに対応する箇所に貼着させた場合、金属膜積層体によって微弱電流が発生し、貼着部位に流れる。これにより、使用者の耳ツボが電気的に刺激され、貼着部位の血行が良くなるという効果が生じる。なお、同様の貼付治療具は、特許文献３にも開示されている。
【先行技術文献】
【特許文献】
【０００４】
【特許文献１】特開平６−１５４２８２号公報
【特許文献２】実用新案登録第３１７９６３９号公報
【特許文献３】特開２０１５−２０５１５５号公報
【発明の概要】
【発明が解決しようとする課題】
【０００５】
しかしながら、上述した従来のイヤリングの場合、装飾部を変更することができないため、ファッション性に欠けるという問題がある。また、上述した従来の貼付治療具の場合、粘着シートを用いて貼り付けるものであるため、繰り返し使用することはできず、使い捨てになるという問題がある。さらに、この貼付治療具の場合、耳の前面に貼り付けるものであるため、外観を損ねる等の問題も生じ得る。
【０００６】
本発明は、かかる事情に鑑みてなされたものであり、上述した課題を解決することができるピアス用キャッチを提供することを目的とする。
【課題を解決するための手段】
【０００７】
本発明者は、耳の前面ではなく、その裏面から電気的に刺激を与えることによって、使用者の血行が良くなることを実験により確認した。この知見に基づき、本発明者は以下を発明した。
【０００８】
本発明の一の態様のピアス用キャッチは、ピアスピンが挿入される挿入孔と、使用者の耳たぶの裏面に当接する当接部と、を備え、前記当接部における前記耳たぶの裏面との当接領域の少なくとも一部には、前記裏面に当接された場合に前記耳たぶ内に微弱電流を発生させる金属薄膜が形成されている。
【０００９】
上記態様において、前記金属薄膜は、前記耳たぶに存在する複数のツボ位置に当接可能な大きさを有していてもよい。
【００１０】
また、上記態様において、前記金属薄膜は、前記当接領域の一部にのみ形成されており、前記当接部は、前記挿入孔を中心に回動されることにより、前記裏面と前記金属薄膜との当接領域の位置を調節可能に構成されていてもよい。
【００１１】
また、上記態様において、前記金属薄膜が形成されている位置を示す位置指示部をさらに備えていてもよい。
【００１２】
さらに、上記態様において、前記金属薄膜は、白金、金、銀、銅、ニッケル、クロム、ジルコニウム及びチタンからなる群から選択される少なくとも１つの材料からなる単層膜又は多層膜であってもよい。
【発明の効果】
【００１３】
本発明によれば、外観上目立ちにくい構成で使用者に対して効果的な刺激を与えることができる。
【図面の簡単な説明】
【００１４】
【図１】実施の形態１のピアス用キャッチの構成を示す平面図。
【図２】図１に示すII−II線における断面図。
【図３】実施の形態１のピアス用キャッチの使用状態を示す側面図。
【図４】実施の形態２のピアス用キャッチの構成を示す平面図。
【図５】実施の形態２のピアス用キャッチの構成を示す底面図。
【図６】図４に示すVI−VI線における断面図。
【図７】実施の形態２のピアス用キャッチの変形例の構成を示す平面図。
【図８】実施の形態２のピアス用キャッチの変形例の構成を示す平面図。
【発明を実施するための形態】
【００１５】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１６】
（実施の形態１）
［ピアス用キャッチの構成］
図１は、実施の形態１のピアス用キャッチ（以下、単に「キャッチ」という）の構成を示す平面図であり、図２は、図１に示すII−II線における断面図である。
【００１７】
図１及び図２に示すとおり、キャッチ１は、キャッチ本体１１と、金属薄膜１２と、ピアスピンの挿入孔１３とを備えている。キャッチ本体１１は、使用者の耳たぶの裏面に当接する当接部１１ａと、当接部１１ａに接続された円筒部１１ｂとを備えている。以下、これらの各構成要素の詳細について説明する。
【００１８】
当接部１１ａは、円板状をなしており、その一方の面が使用者の耳たぶの裏面に当接するように構成されている。当接部１１ａの他方の面には、円筒部１１ｂが接続されている。円筒部１１ｂは、当接部１１ａの中心軸をその中心軸としている。これらの当接部１１ａ及び円筒部１１ｂは、一体的に形成されていてもよく、別体として形成されていてもよい。当接部１１ａ及び円筒部１１ｂの材質は、金属、プラスチック、又はゴム等である。
【００１９】
金属薄膜１２は、当接部１１ａの両面のうち使用者の耳たぶの裏面に当接する側の面の上に形成されており、その耳たぶに存在する複数のツボ位置に当接可能な大きさを有している。本実施の形態において、金属薄膜１２は、当接部１１ａに比してやや小径の円板状をなしている。但し、当接部１１ａの当該面の全面に金属薄膜１２が形成されていても構わない。
【００２０】
金属薄膜１２の材質は、使用者の皮膚に当接された場合に微弱電流を発生させることができるものであれば特に限定されないが、例えば、白金、金、銀、銅、ニッケル、クロム、ジルコニウム及びチタン等が挙げられる。金属薄膜１２は、これらの各材料又は２種類以上の混合材料からなる単層膜であってもよく、そのような単層膜が積層されてなる多層膜であってもよい。
【００２１】
挿入孔１３は、当接部１１ａ及び円筒部１１ｂの中心軸に沿って延びており、これらの当接部１１ａ及び円筒部１１ｂ並びに金属薄膜１２を貫通している。この挿入孔１３にピアスピンが挿入されることにより、ピアスがキャッチ１に装着される。挿入孔１３は、使用されるピアスピンの太さに応じた径に形成される。
【００２２】
なお、キャッチ１は、挿入孔１３に挿入されたピアスピンを係止するための係止構造を有している。この係止構造は公知のものを利用できるため、詳細な説明を省略する。
【００２３】
［ピアス用キャッチの使用方法］
以下、上述したように構成された本実施の形態のキャッチ１の使用方法について説明する。
図３は、本実施の形態のキャッチ１１の使用状態を示す側面図である。図３に示すとおり、ピアス２のピアスピン２ａが耳たぶ３のピアス孔に挿通されるとともに、ピアスピン２ａがキャッチ１の挿入孔１３に挿通される。このようにして挿入孔１３に挿通されたピアスピン２ａが上述した係止構造により係止されることにより、ピアス２がキャッチ１に固定される。
【００２４】
このようにしてピアス２がキャッチ１に固定された状態において、キャッチ１の当接部１１ａ上に形成された金属薄膜１２が、耳たぶ３の裏面に当接される。このようにして耳たぶ３の裏面に当接されている間、金属薄膜１２により微弱電流が発生し、当接領域に流れる。これにより、その当接領域中に存在する耳ツボが電気的に刺激され、血行が促進される。その結果、新陳代謝を高めたり、内蔵機能に変化をもたらせたり等の効果が期待できる。
【００２５】
本実施の形態の場合、金属薄膜１２が、耳たぶに存在する複数のツボ位置に当接可能な大きさを有している。そのため、複数の耳ツボを同時に刺激することができるので、高い効果を得ることができる。
【００２６】
また、従来の使い捨ての治療具とは異なり、キャッチ１は、繰り返し使用することができるため、経済的である。さらに、キャッチ１は、使用者の耳たぶの裏面側に位置するため目立ちにくく、従来の治療具のように外観を損ねる等の問題は生じない。
【００２７】
さらに、キャッチ１を装着する場合、使用者は好みのピアスを使用することができるため、ファッション性を損ねることもない。
【００２８】
（実施の形態２）
実施の形態１では、金属薄膜１２が円板状をなしているが、その形状は種々のものを採用することができる。本実施の形態のキャッチは、円板状とは異なる形状の金属薄膜１２を備えている。
【００２９】
［ピアス用キャッチの構成］
図４は、実施の形態２のキャッチの構成を示す平面図であり、図５は、その構成を示す底面図である。また、図６は、図４に示すVI−VI線における断面図である。図４に示すとおり、本実施の形態のキャッチ４において、当接部１１ａの一方の面に形成された金属薄膜１２は、円の約４分の１の扇形状をなしている。また、図５に示すとおり、当接部１１ａの他方の面には、金属薄膜１２と対応する位置に、薄板状の位置指示部１４が配設されている。なお、このキャッチ４は、実施の形態１の場合と同様に挿入孔１３に挿入されたピアスピンを係止する係止構造を備えている。この係止構造は、キャッチ本体１１をピアスピンに対して回動可能に固定するように構成されている。本実施の形態のキャッチ４のその他の構成は、実施の形態１の場合と同様であるため、同一符号を付して説明を省略する。
【００３０】
［ピアス用キャッチの使用方法］
以下、上述したように構成された本実施の形態のキャッチ４の使用方法について説明する。
実施の形態１の場合と同様にして、ピアスがキャッチ４に固定される。その結果、使用者の耳たぶの裏面に当接されている金属薄膜１２によって微弱電流が発生し、これにより耳ツボが刺激される。このとき、使用者は、ピアスがキャッチ４に装着された状態を維持しながら、挿入孔１３を中心に当接部１１ａを回動させることができる。これにより、耳たぶの裏面と金属薄膜１２との当接領域の位置が変化し、異なる耳ツボが刺激される。このように、当該当接領域の位置を調節することにより、所望の耳ツボのみを刺激することなどが可能になる。
【００３１】
使用者は、耳たぶの裏面と金属薄膜１２との当接領域の位置を直接視覚的に把握することはできないが、手指で位置指示部１４に触れることによって当該位置を把握することができる。そのため、使用者は、位置指示部１４を用いることにより、当接領域の位置決めを容易に行うことができる。
【００３２】
本実施の形態では、位置指示部１４が薄板状をなしているが、これに限定されるわけではない。金属薄膜１２が形成されている位置を示すことができるのであれば、溝状、突起状等、任意の形状を採用することができる。
【００３３】
また、本実施の形態では、金属薄膜１２が円の約４分の１の扇形状をなしているが、勿論これには限定されない。例えば、図７に示すキャッチ５のように、金属薄膜１２が半円状をなしていてもよく、図８に示すキャッチ６のように、円の約４分の１の扇形状の金属薄膜１２が２つ形成されていてもよい。このように、金属薄膜１２は任意の形状を採用し得るが、その大きさは、上記のとおり耳たぶに存在する複数のツボ位置に当接可能な程度であることが好ましい。
【００３４】
（その他の実施の形態）
上記の各実施の形態では、キャッチ本体１１が円板状の当接部１１ａと円筒部１１ｂによって構成されているが、これに限定されるわけではない。キャッチ本体１１は、使用者の耳たぶの裏面に当接する当接部を有していればよく、その当接部の形状も円板状に限定されない。
【産業上の利用可能性】
【００３５】
本発明のピアス用キャッチは、装着者の耳ツボに対して刺激を与える健康増進具などとして有用である。
【符号の説明】
【００３６】
１，４，５，６  ピアス用キャッチ
１１  キャッチ本体
１１ａ  当接部
１１ｂ  円筒部
１２  金属薄膜
１３  挿入孔
１４  位置指示部
２  ピアス
２ａ  ピアスピン
３  耳たぶ
【図１】
2019141369.tif 000003
【図２】
2019141369.tif 000004
【図３】
2019141369.tif 000005
【図４】
2019141369.tif 000006
【図５】
2019141369.tif 000007
【図６】
2019141369.tif 000008
【図７】
2019141369.tif 000009
【図８】
2019141369.tif 000010